(57)【要約】【課題】円筒形部品（１２）を支持するのに適した装置（１８）及び方法を提供する。【解決手段】本装置（１８）は、半球状凹面形状を備えた上面（４０）を有する受台（２８）と、受台（２８）の上面（４０）上に支持されたキャリッジ（３０）とを含む。キャリッジ（３０）は、下部表面（５０）と、円筒形部品（１２）と接触しかつ該円筒形部品（１２）を回転可能に支持するための要素を備えた対向配置された上部表面とを有する。キャリッジ（３０）の下部表面（５０）は、受台（２８）の上面（４０）と係合しかつ該受台（２８）の上面（４０）の半球状凹面形状と相補的な半球状凸面形状を有する。本装置（１８）はさらに、受台（２８）の上面（４０）に位置しかつ該上面（４０）内に凹設された潤滑剤リザーバ（４６）と、潤滑剤リザーバ（４６）に潤滑剤を送給するための機構（４８、５４）とを含む。キャリッジ（３０）の下部表面（５０）及び受台（２８）の上面（４０）は、潤滑剤リザーバ（４６）の周りにエンクロージャを形成する。【選択図】      図５
2010156333.tif 000002
【特許請求の範囲】
【請求項１】
円筒形部品（１２）を支持するための装置（１８）であって、
半球状凹面形状を有する上面（４０）を備えた受台（２８）と、
受台（２８）の上面（４０）に位置しかつ該上面（４０）内に凹設された潤滑剤リザーバ（４６）と、
潤滑剤リザーバ（４６）に潤滑剤を送給するための手段（４８、５４）と、
受台（２８）の上面（４０）上に支持されたキャリッジ（３０）と、
を含み、
キャリッジ（３０）が、上部表面及び対向配置された下部表面（５０）を有し、
上部表面が、円筒形部品（１２）と接触しかつ該円筒形部品（１２）を回転可能に支持するための接触手段（５６、５８、６４）を含み、
下部表面（５０）が、受台（２８）の上面（４０）と係合しかつ該受台（２８）の上面（４０）の半球状凹面形状と相補的な半球状凸面形状を有し、
キャリッジ（３０）の下部表面（５０）及び受台（２８）の上面（４０）が、潤滑剤リザーバ（４６）の周りにエンクロージャを形成する、
装置（１８）。
【請求項２】
接触手段（５６、５８、６４）がキャリッジ（３０）の上部表面に回転可能に取付けられたローラ（６４）を含む、請求項１記載の装置（１８）。
【請求項３】
接触手段（５６、５８、６４）が静圧軸受手段（５６）を含む、請求項１記載の装置（１８）。
【請求項４】
接触手段（５６、５８、６４）がＶ字形ブロック（５８）を含む、請求項１又は請求項３記載の装置（１８）。
【請求項５】
キャリッジ（３０）を受台（２８）に結合するための手段（４４、５２）をさらに含む、請求項１乃至請求項４のいずれか１項記載の装置（１８）。
【請求項６】
結合手段（４４、５２）が、キャリッジ（３０）を受台（２８）上に固定しかつ移動不能にするように作動可能である、請求項５記載の装置（１８）。
【請求項７】
潤滑剤を送給するための手段（４８、５４）が、潤滑剤リザーバ（４６）内の圧力を増大させてキャリッジ（３０）の下部表面（５０）を受台（２８）の上面（４０）から流体的に切離し、それによって接触手段（５６、５８、６４）が円筒形部品（１２）と接触状態になった時に該キャリッジ（３０）及び該キャリッジ（３０）の接触手段（５６、５８、６４）が自己整列するのを可能にするための手段（５４）を含む、請求項１乃至請求項６のいずれか１項記載の装置（１８）。
【請求項８】
受台（２８）及びキャリッジ（３０）を支持するテーブル（２４）と、
テーブル（２４）を上昇及び下降させるための手段（２６）と、
をさらに含む、請求項１乃至請求項７のいずれか１項記載の装置（１８）。
【請求項９】
装置（１８）は、円筒形部品（１２）が装置上に支持されている間に、該円筒形部品（１２）と結合しかつ該円筒形部品（１２）を回転させるように構成されたモータ（１４）に隣接している、請求項１乃至請求項８のいずれか１項記載の装置（１８）。
【請求項１０】
円筒形部品（１２）を支持する方法であって、
受台（２８）上に支持されたキャリッジ（３０）の上方に円筒形部品（１２）を支持するステップと、
キャリッジ（３０）及び受台（２８）間に十分な潤滑剤圧力を形成して、該キャリッジ（３０）の下部表面（５０）を該受台（２８）の上面（４０）から流体的に切離すステップと、
受台（２８）及びキャリッジ（３０）を共に上昇させて、円筒形部品（１２）を該キャリッジ（３０）と係合させるステップと、
を含み、
キャリッジ（３０）の下部表面（５０）を受台（２８）の上面（４０）から流体的に切離すステップにより、該キャリッジ（３０）が円筒形部品（１２）と自己整列できるようにする、方法。
【発明の詳細な説明】
【技術分野】
【０００１】
本発明は、広義には物品を支持するための装置に関する。具体的には、本発明は、円筒形部品を支持することができる自己整列支持アセンブリ、特にターボ機械、発電機のロータ及びシャフト、その他の軸対称部品の製造、検査及び／又は保守整備などに当たり、大型の回転可能な円筒形部品を支持することができる自己整列支持アセンブリに関する。
【背景技術】
【０００２】
蒸気タービン、ガスタービン及びジェットエンジンで使用されるロータは、特定の作動条件に応じて、組立構造を有することもあるし、或いは一体構造を有することもある。例えば、大型蒸気タービンは一般的に、個別のロータで構成されたボルト止め構造を有し、ロータの各々は、そのリムがバケット（動翼）を取付けるように構成された一体形成ホイールを備えたシャフトを有する。各個別ロータセグメントの構成及び組成は、その中にセグメントが設置されるタービンの特定のセクション（例えば、高圧段及び低圧段）に合わせて選択される。ガスタービン及びジェットエンジン用のロータは、一連のディスク及びシャフトを互いにボルト止めすることによって組立てられることが多い。別のロータ構造は、異種材料で形成したロータセグメントを互いに溶接して、複合合金ロータ（ＭＡＲ）と呼ぶことができるものを形成することを含む。一体複合合金ロータもまた、これまでに提案されてきた。
【０００３】
タービンロータは、熱的に過酷な環境内において高い回転速度で作動する。長い運用寿命を達成するために合金の大幅な進歩がなされてきたが、摩耗、侵食、腐食、衝撃、疲労及び／又は過大応力が生じる可能性があり、これが、ロータ又はシャフトの定期的な点検及び必要に応じての補修又は交換を必要とする。タービン部品の点検及び保守整備は一般的に、例えば清掃、寸法検査、非破壊検査（ＮＤＥ）、分解／組立及び機械加工の間に、該部品をその軸線の周りで回転させる旋盤又は同様の装置内に該部品を取付けることを必要とする。多くの場合、部品は、それが回転することができるのを妨げられない状態で、該部品の重量を支持するのを助けるローラによって下方から支持される。この目的のために使用されるローラは一般的に、部品の重量下で変形に耐えかつ寸法公差を保持するように硬化されている。硬質ローラの非柔軟性は、ローラの軸線を正確に部品に平行に配向することを含む、該部品に対するローラの適正な位置合せ（整列）を保証するために長時間の注意深い設定作業を必要とする。例えば、硬質ローラアセンブリはしばしば、部品の表面にレイアウト染料を塗布し、次に染料内に均一なパターンが得られるようにローラを調整することによって位置合せされる。それに代わるものとして、位置不良をより良好に許容するほど十分に柔軟である軟質ローラを使用することができる。幾つかの状況では、軟質ローラは、非整列状態において使用され、このようなケースでは、ローラの表面は犠牲表面である。軟質ローラは、設定作業を単純化するが、寸法検査及び機械加工のような作業において十分に厳密な寸法公差を保持することができない可能性がある。
【先行技術文献】
【特許文献】
【０００４】
【特許文献１】米国特許第６１１５９１７号明細書
【発明の概要】
【発明が解決しようとする課題】
【０００５】
以上に鑑みて、点検及び保守整備の間にロータを支持する時に、硬質ローラに通常必要な寸法精度を低下させずにロータ部品に対する硬質ローラの整列作業を単純化することができるとすれば、望ましいと言える。
【０００６】
本発明は、円筒形部品を該部品が回転できるように支持するのに適した装置及び方法を提供する。例示的で非限定的な実施例は、タービンロータ部品を、該部品の清掃、寸法検査、非破壊検査、分解、組立及び／又は機械加工の間に支持する。
【課題を解決するための手段】
【０００７】
本発明の第１の態様によれば、本装置は、半球状凹面形状を備えた上面を有する受台と、受台の上面上に支持されたキャリッジとを含む。キャリッジは、上部表面及び対向配置された下部表面を有し、上部表面は、円筒形部品と接触しかつ該円筒形部品を回転可能に支持するための１以上の要素を有する。キャリッジの下部表面は、受台の上面と係合しかつ該受台の上面の半球状凹面形状と相補的な半球状凸面形状を有する。本装置はさらに、受台の上面に位置しかつ該上面内に凹設された潤滑剤リザーバと、潤滑剤リザーバに潤滑剤を送給するための機構とを含む。キャリッジの下部表面及び受台の上面は、潤滑剤リザーバの周りにエンクロージャを形成する。
【０００８】
本発明の第２の態様によれば、本装置の受台及びキャリッジは、該キャリッジの接触要素により円筒形部品を支持するために使用され、また潤滑剤リザーバ内に十分な潤滑剤圧力を形成してキャリッジの下部表面を受台の上面から流体的に切離し、該キャリッジ及びその接触要素が円筒形部品と自己整列するのを可能にする。
【０００９】
本発明の別の実施形態によれば、より概略的には、円筒形部品を支持する方法は、受台上に支持されたキャリッジの上方に円筒形部品を支持するステップと、受台及びキャリッジを共に上昇させて、円筒形部品を該キャリッジと係合させるステップと、キャリッジ及び受台間に十分な潤滑剤圧力を形成して、該キャリッジの下部表面を該受台の上面から流体的に切離し、それによって該キャリッジが円筒形部品と自己整列するのを可能にするステップとを含む。
【００１０】
本発明の有意な利点は、キャリッジ及び受台間における潤滑剤と該キャリッジ及び受台によってかつそれらの間に形成された半球状表面接触部との組合せによって得られた切離し及び自己整列作用により、円筒形部品と接触するための手段として様々な部品を使用することが可能になることである。例えば、本装置では、硬質ローラで通常達成される寸法精度を低下させることなく、円筒形部品に対するローラの整列作業を単純化するのに役立つ自己整列能力を備えた硬質ローラを接触要素として採用することができる。本発明の自己整列能力はさらに、他の方法では実施可能なものにすることができない、例えば円筒体を支持するためのクレードルを形成したＶ字形剛体ブロック又は静圧軸受のような、その他の接触要素の使用を可能にする。いずれのケースでも、接触要素は、その間に円筒形部品の回転を必要とする可能性がある寸法検査、機械加工及びその他の精密加工のような作業のために十分に厳密な寸法公差を保持することができる。
【００１１】
本発明のその他の態様及び利点は、以下の詳細な説明から一層よく理解されるであろう。
【図面の簡単な説明】
【００１２】
【図１】本発明の実施形態によるタービンロータ補修ステーションの斜視図。
【図２】図１の補修ステーションの支持アセンブリのより詳細な斜視図。
【図３】上昇位置にある、図２の支持アセンブリのテーブルの斜視図。
【図４】下降位置にある、図２の支持アセンブリのテーブルの斜視図。
【図５】本発明の実施形態による、ロータ部品を支持するためのＶ字形ブロックを備えたキャリッジを示している、図２〜図４の支持アセンブリのキャリッジ及び受台アセンブリの斜視図。
【図６】アセンブリの内部部品を示している、図５のキャリッジ及び受台アセンブリの斜視図。
【図７】本発明の別の実施形態による、図５及び図６と同様であるがＶ字形ブロックの代わりにローラを備えたキャリッジ及び受台アセンブリの斜視図。
【図８】Ｖ字形ブロック上に支持された様々な直径の円筒体を概略的に示している、図５及び図６のキャリッジ及び受台アセンブリの端面図。
【発明を実施するための形態】
【００１３】
図１は、本発明の実施形態によるタービンロータ補修ステーション１０を示している。ロータ部品１２は、点検、保守整備、或いは製造の間又は部品１２がサービスから戻された後に所望される可能性がある幾つかのその他の作業を行なうために、ステーション１０内に取付けられているものとして示している。部品１２は、比較的大きい直径のロータとして示しているが、遙かに小さな直径を有するロータ及びロータシャフト（図２及び図８）もまた本発明の技術的範囲内にある。本発明は、蒸気タービン、ガスタービン、ジェットエンジン等内に設置するように構成されたロータ及びシャフトとすることができるロータ部品に関して説明するが、発電機ロータ、鉄鋼圧延ロール、石炭破砕機等々を含む、ロータ以外の円筒形部品もまた本発明の技術的範囲内にある。さらに、補修ステーション１０は、特に回転部品を支持するが、ロータ上へのバケット（動翼）の取付けの間におけるような、偏心装着状態の部品を支持しかつその回転を阻止することもできることは、以下の説明から明らかになるであろう。
【００１４】
ステーション１０は、駆動シャフト１５を備えたモータ１４を有するものとして示しており、この駆動シャフト１５は、部品１２に結合されて、モータ１４が部品１２をその回転軸線の周りで回転可能にする。モータ１４の反対側には、ロータ１２の回転によって生じた軸方向力に抗するスラスト軸受アセンブリ１６を示している。部品１２は、モータ１４とスラスト軸受アセンブリ１６の間で支持アセンブリ１８によって支持され、図１に示す装置の全ては、プラットフォーム２０に取付けられた状態で示している。ステーション１０は、保守整備センタ内の恒久施設とすることができ、或いはそのプラットフォーム２０が可搬機能を有するものとして構成することができる。
【００１５】
図２は、図１の支持アセンブリ１８をより詳細に示しており、アセンブリ１８の一層の細部を明らかにするために大径の部品１２を小径の部品１２（例えば、シャフト）で置き換えている。アセンブリ１８は、全体としてフレーム２２と、フレーム２２内に取付けられたテーブル２４と、フレーム２２内でテーブル２４を上昇及び下降させる駆動システム２６と、テーブル２４の上部に取付けられた受台ユニット２８と、受台ユニット２８上に支持されたキャリッジユニット３０とを含むものとして示している。フレーム２２は、プラットフォーム２０に堅固に取付けることができ、或いは軸受（図示せず）によって支持して、支持アセンブリ１８及びその部品をモータ１４及び周囲の部品から機械的に切離すことができる。
【００１６】
フレーム２２、テーブル２４及び駆動システム２６は、図３及び４においてより詳細に図示されており、これらは、部品１２、受台ユニット２８及びキャリッジユニット３０を省いた支持アセンブリ１８の図である。図３は、駆動システム２６の作動により生じた上昇位置にあるテーブル２４を示しており、この駆動システムは、電気的に駆動される動力ねじアセンブリとして図示されているが、他の機械的システム、油圧システム又は電気的システムであってもよい。テーブル２４の水平方向の向きは、フレーム２２に装着された支柱３２にテーブル２４を結合することによって部分的に維持される。図１−４には、ジャーナル軸受３４を用いてテーブル２４に結合された４つの支柱３２が示されているが、あらゆる数の支柱３２を使用することができ、例えばテーブル２４の各端部に１つの支柱を用いることができる。駆動システム２６及び支柱３２は、２つの別個のユニットとして図示されているが、駆動システム２６を支柱３２に一体化できることも予想可能である。さらに、フレーム２２及びテーブル２４は、これらの機械的一体性を促進可能にすると共に、必要でＡあれば、これらの重量を最小化する様々な構成を有することができる。従って、図１−４に示されたフレーム２２、テーブル２４、駆動システム２６、支柱３２等は、単に例証の目的のものに過ぎず、受台及びキャリッジユニット２８、３０を支持しかつ上昇させて部品１２と係合させるこれらの機能は別にして、本発明の範囲を限定するものではない。
【００１７】
図５及び６は、図１及び２に示す受台及びキャリッジユニット２８、３０のより詳細な図を示している。受台ユニット２８は、ボルトでテーブル２４に固定するようにされたベースプレート３６を含む。ベースプレート３６は、これと一体的に機械加工される隆起した中央レール３８を有するが、中央レール３８は、別個に製造してプレート３６に取付けることができることも想定可能である。中央レール３８は、受台ユニット２８の上表面４０を定め、受台ユニット２８の上表面４０上で、キャリッジユニット３０がその下部表面５０（図６）との接触によって支持される。１対の装着ブロック４２が、中央レール３８の両端部にボルト固定された状態で示されており、これらの装着ブロック４２からトラニオン４４（図８）が互いに向かって延びて、キャリッジユニット３０を支持する。トラニオン４４は、ブロック５２に螺入されたボルト４５の端部によって定められるものとして示されており、これらのブロック５２は、トラニオン４４が螺入されて、キャリッジユニット３０の両端部に形成されたスロット又は凹部５２（図６及び８）とクランプ係合できるようにし、トラニオン４４がキャリッジユニット３０を受台ユニット２８に固定し、好ましくは部品１２の重量を支持する時にキャリッジユニット３０を受台ユニット２８上で移動不能にできるようにする。或いは、トラニオン４４は、油圧駆動されて凹部５２と係合及び係合解除することができる。さらに別の代替方法は、受台ユニット２８に装着されて、キャリッジユニット３０の端部及び／又は側面と係合するように作動できる他のタイプのクランプによって、キャリッジユニット３０を受台ユニット２８に結合するものである。
【００１８】
図６は、流体リザーバ４６が中央に形成される半球状凹面形状を定めるものとして受台ユニット２８の上面４０を示している。以下においてより詳細に述べるように、流体リザーバ４６は、流体、より具体的にはキャリッジユニット３０を受台ユニット２８の表面４０から分離することができる油圧流体、オイル又はグリースなどの潤滑剤を収容するためのものである。この目的のために必要な流体リザーバ４６の流体容量は、流体リザーバ４６の表面積と流体リザーバ４６に利用可能な潤滑剤圧力とによって決まる。潤滑剤は、取付具５４を介して流体リザーバ４６に送給することができ、これらの取付具５４は、キャリッジユニット３０のいずれかの端部に置かれた状態で図示されているが、テーブル２４及び受台ユニット２８の全体を含む、他の様々な位置も実施可能である。流体リザーバ４６を囲む受台ユニット２８の半球状凹面の上表面４０は、好ましくは、キャリッジユニット３０の半球状凸面の下部表面５０と一様な接触を形成するように連続かつ平滑である。
【００１９】
キャリッジユニット３０の下部表面５０は、好ましくは、受台ユニット２８の上面４０の半球状凹面形状と相補的な半球状凸面形状を有し、その結果、上面４０及び下部表面５０が密接な面対面接触を達成するようになる。加えて、これらの表面４０及び５０の周縁部は、潤滑剤リザーバ４６を囲む面対面シールを形成する。この面対面シールは、キャリッジユニット３０が受台ユニット２８上に押下される時に、部品１２の重量下で好ましくは流体密封又はほぼ流体密封であり、その結果、流体リザーバ４６内の潤滑剤は、加圧されて流体リザーバ４６から押し出され、受台及びキャリッジユニット２８、３０の上面４０及び下部表面５０間に潤滑膜を形成できるようになる。受台及びキャリッジユニット２８、３０の上面４０及び下部表面５０間から排出された潤滑剤は、キャリッジユニット３０の側面に沿って設けられた溝／フランジ４８によって収集され、流体リザーバ４６に戻すことができる。
【００２０】
トラニオン４４とそれらのそれぞれの凹部５２は、キャリッジユニット３０が受台ユニット２８の表面４０から意図せずに変位するのを防止する。さらに、トラニオン４４は、それらのクランプ荷重を受けていない時に、キャリッジユニット３０がその周りで旋回できる軸線を定める。キャリッジユニット３０が部品１２の重量を受けるようになると、受台及びキャリッジユニット２８、３０の上面４０及び下部表面５０の相補的な半球形状及びこれら両表面間の潤滑膜により、受台ユニット２８に対するキャリッジユニット３０の滑動及び移動が可能になり、キャリッジユニット３０が部品１２によって加えられた荷重に対し整列できるようになる。トラニオン４４は、それがキャリッジユニット３０のピッチ運動（トラニオン４４の軸線を通りかつ表面４０に対し垂直な平面における）を狭めるように制限するが、ヨー（ツイスト）運動（受台表面４０に対して垂直な軸線周りの）及びロール運動（トラニオン４４の軸線の周りの）の限定的な程度を許容する範囲にまでキャリッジユニット３０の運動を抑制する。
【００２１】
キャリッジユニット３０は、ロータ部品１２を支持することができ、好ましくは該部品１２を支持アセンブリ１８によって支持しながら回転させることができる１以上の接触要素を備える。図１、２、５及び６に示すように、接触要素は、Ｖ字形ブロック５８を含む。Ｖ字形ブロック５８は、一般に、互いに相手に対して傾斜し、かつＶ字形状の基部において直線状接合部６２により分離された対向パッド６０を有する。パッド６０は、トラニオン４４によって定められる軸線に平行な方向に整列され、その結果、Ｖ字形ブロック５８及びそのパッド６０が、受台ユニット２８上で実質的に中央に維持されるようになる。図１及び２並びに特に図８から明らかなように、キャリッジユニット３０は、部品１２の軸線が両パッド６０間の接合部６２の真上にありかつこれと平行であり、両パッド６０が部品１２と接触する時に互いにほぼ対称的に対向するように支持アセンブリ１８上で方向付けられる。図８はさらに、キャリッジユニット３０上で広範な直径を有するロータ部品１２を収容する能力を示している。パッド６０は、摩耗を最小化し、部品１２との低い摩擦接触を促進するために、支持される部品１２の材料よりも軟質の材料で形成されるのが好ましく、バビットメタル、ナイロン及びＴｅｘｔｏｔｉｌｅが特に適した材料である。さらにＶ字形ブロック５８は、ポート５６を備えたものとして図５及び６に図示されており、これらのポート５６から適当な潤滑剤（例えば、油圧流体）をパッド６０の表面上に配向し、パッド６０の上に部品１２を支持できる静圧軸受として機能する潤滑膜を生成することができる。静圧軸受は、パッド６０なしで使用できることも予想可能である。
【００２２】
最後に、図７は、図５に示すものと同様であるが、接触要素としてＶ字形ブロック５８の代わりにローラ６４を備えた、本発明の別の実施形態による受台及びキャリッジユニット２８、３０の斜視図である。図５のＶ字形ブロック５８のパッド６０の場合と同様に、ローラ６４は、トラニオン４４によって定められる軸線に平行な方向に整列され、ローラ６４は、受台ユニット２８上で実質的に中央に維持されるようになる。さらに、ローラ６４の回転軸は、トラニオン４４の軸線に対して横断方向で且つキャリッジユニット３０上で支持される部品１２の軸線に平行な向きにされ、その結果、ローラ６４は、部品１２と接触する時に互いにほぼ対称的に対向するようになる。受台及びキャリッジユニット２８、３０の上面４０及び下部表面５０の相補的な半球形状によって提供される自己整列能力により、部品１２によって加えられる荷重下でローラ６４の軸線を部品１２の軸線と自動的に整列できるようになり、硬質ローラを使用する欠点が回避され、ローラ６４は、合金鋼のような、２５ロックウエルＣ以上の硬度を有する超耐摩耗性の材料から製造することが可能になる。特に好ましい材料は、３０ロックウエルＣ以上の硬度を有するＡＩＳＩ  ４１４０であると考えられる。ローラ６４に適した直径は、一般に約８インチ（約２０ｃｍ）であり、これよりも大きな及び小さな直径も予測可能である。最後に、図７は、様々な直径のロータ部品１２を収容するようにローラ６４を支持することができる複数のヨーク６６を備えたものとしてキャリッジユニット３０を示している。
【００２３】
以上に述べた事に基づいて、Ｖ字形ブロック５８（静圧軸受５６及び／又はパッド６０を備えた）及びローラ６４の代わりに、多様な軸受及びその他の接触要素を用いることができることを理解されたい。さらに、様々な材料を用いて、受台及びキャリッジユニット２８、３０を構成することができ、その非限定的な実施例は、炭素鋼及びＡＳＴＭ  Ａ３６のような構造用鋼である。
【００２４】
使用時には、支持アセンブリ１８及びその受台並びにキャリッジユニット２８、３０は、モータ１４の中心線に調節され、キャリッジユニット３０及びその接触要素（Ｖ字形ブロック５８、ローラ６４等）は、潤滑剤リザーバ４６内の流体を用いて油圧的に上昇され、部品１２は、その重量をキャリッジユニット３０及びその接触要素上に加える前に駆動シャフト１５を介してモータ１４に結合される。次いで、流体リザーバ４６から油圧が解放されて、キャリッジユニット３０が、受台ユニット２８上で整列した状態になることができる。次にトラニオン４４が移動されて、凹部５２と係合し、キャリッジユニット３０を受台ユニット２８上で固定し、好ましくは移動不能にする。
【００２５】
好ましい実施形態を参照しながら本発明を説明してきたが、本発明の範囲から逸脱することなく種々の変更を行うことができ且つ本発明の要素を均等物で置き換えることができる点は理解されるであろう。例えば、受台及びキャリッジユニット２８及び３０並びにこれらユニット２８及び３０が使用されるタービンロータ補修ステーション１０の物理的構成は、図に示すものとは異なるものであってもよく、上述した以外の材料及び方法を用いることもできる。従って、本発明の技術的範囲は、提出した特許請求の範囲によってのみ限定されるべきである。
【符号の説明】
【００２６】
１０  ステーション
１２  部品
１４  モータ
１５  駆動シャフト
１６  スラスト軸受アセンブリ
１８  支持アセンブリ
２０  プラットフォーム
２２  フレーム
２４  テーブル
２６  駆動システム
２８  受台ユニット（受台）
３０  キャリッジユニット
３２  支柱
３４  ジャーナル軸受
３６  ベースプレート
３８  中央レール
４０  上面（受台の）
４２  取付けブロック
４４  トラニオン
４５  ボルト
４６  リザーバ
５２  ブロック
５４  取付具
５６  ポート
５８  Ｖ字形ブロック
６０  パッド
６２  接合部
６４  ローラ
６６  ヨーク
【図１】
2010156333.tif 000003
【図２】
2010156333.tif 000004
【図３】
2010156333.tif 000005
【図４】
2010156333.tif 000006
【図５】
2010156333.tif 000007
【図６】
2010156333.tif 000008
【図７】
2010156333.tif 000009
【図８】
2010156333.tif 000010
【外国語明細書】
2010156333000001.pdf